(57)【要約】【課題】錐形のパビリオン部を有するような複雑な形状のデザイン性の高い装飾体を用いることを可能とし、被装飾体に対して容易に固定することを可能とする。【解決手段】錐形のパビリオン部７を有する装飾体２と、装飾体２が保持される保持部１０を有する固定部３とで構成され、被装飾体２０に取付け固定される装飾具１であって、固定部３は、保持部１０から装飾体２のキューレット８を囲み延出する略筒状の挿通部１１が設けられている雄部４と、挿通部１１が挿通される挿通孔１２を有する雌部５とで構成され、挿通部１１を被装飾体２０に穿設される貫通孔２１に貫通させ、雄部４と雌部５とをかしめて被装飾体２０に固定することを特徴とする。【選択図】        図１
2004337354.tif 000002
【特許請求の範囲】
【請求項１】
錐形のパビリオン部を有する装飾体と、前記装飾体が保持される保持部を有する固定部とで構成され、被装飾体に取付け固定される装飾具であって、
前記固定部は、前記保持部から前記装飾体のキューレットを囲み延出する略筒状の挿通部が設けられている雄部と、前記挿通部が挿通される挿通孔を有する雌部とで構成され、
前記挿通部を前記被装飾体に穿設される貫通孔に貫通させ、前記雄部と前記雌部とをかしめて前記被装飾体に固定することを特徴とする装飾具。
【請求項２】
錐形のパビリオン部を有する装飾体と、前記装飾体が保持される保持部を有する固定部とで構成され、被装飾体に取付け固定される装飾具であって、
前記固定部は、前記保持部から前記装飾体のキューレットを囲み延出する略筒状の挿通部が設けられている雄部と、前記挿通部の周囲に配置されるとともに前記被装飾体の表面側に配置されるスペーサーと、前記挿通部が挿通される挿通孔を有する雌部とで構成され、
前記挿通部を前記スペーサーとともに前記被装飾体に穿設される貫通孔に貫通させ、前記雄部と前記雌部とをかしめて前記被装飾体に固定することを特徴とする装飾具。
【請求項３】
前記スペーサーは略すり鉢状に形成された内面を有する略筒形状であることを特徴とする請求項２記載の装飾具。
【請求項４】
錐形のパビリオン部を有する装飾体と、前記装飾体が保持される保持部を有する固定部とで構成され、被装飾体に取付け固定される装飾具であって、
前記固定部は、前記保持部から前記装飾体のキューレットを囲み延出する略筒状の挿通部が設けられている雄部と、前記挿通部の周囲に配置されるとともに前記被装飾体の裏面側に配置されるスペーサーと、前記挿通部が挿通される挿通孔を有する雌部とで構成され、
前記挿通部を前記被装飾体に穿設される貫通孔に貫通させた後、該挿通部を前記スペーサーに挿通させ、前記雄部と前記雌部とをかしめて前記被装飾体に固定することを特徴とする装飾具。
【請求項５】
前記スペーサーが硬質素材で形成されていることを特徴とする請求項２又は請求項３又は請求項４記載の装飾具。
【請求項６】
前記スペーサーが軟質素材で形成されていることを特徴とする請求項２又は請求項３又は請求項４記載の装飾具。
【請求項７】
前記固定部を構成する雄部の挿通部が、保持部から貫通した略筒状に形成されるとともに、前記雌部の挿通孔が貫通形成され、該挿通孔に前記挿通部が貫通することを特徴とする請求項１，２，３，４，５，６のいずれか１つに記載の装飾具。
【請求項８】
前記装飾体は透明なガラス質素材であることを特徴とする請求項１，２，３，４，５，６，７のいずれか１つに記載の装飾具。
【請求項９】
請求項１記載の装飾具を固定する固定方法であって、
シート状の前記被装飾体に前記貫通孔を穿設する工程と、
前記被装飾体の表面側から前記固定部の一方を構成する前記雄部の前記挿通部を前記貫通孔に挿通させる工程と、
前記被装飾体の裏面側に前記固定部の他方を構成する前記雌部を配置させる工程と、
前記固定部の被装飾体に対する固定位置を調整する工程と、
前記雄部と前記雌部とをかしめて前記固定部を前記被装飾体に固定する工程と、
からなることを特徴とする装飾具の固定方法。
【請求項１０】
請求項２記載の装飾具を固定する固定方法であって、
シート状の前記被装飾体に前記貫通孔を穿設する工程と、
前記雄部に延設されている略筒状の前記挿通部を前記スペーサーに挿通させる工程と、
前記被装飾体の表面側から前記雄部の前記挿通部を前記貫通孔に挿通させる工程と、
前記被装飾体の裏面側に前記雌部を配置させる工程と、
前記固定部の被装飾体に対する固定位置を調整する工程と、
前記雄部と前記雌部とをかしめて前記固定部を前記被装飾体に固定する工程と、
からなることを特徴とする装飾具の固定方法。
【請求項１１】
請求項３記載の装飾具を固定する固定方法であって、
シート状の前記被装飾体に前記貫通孔を穿設する工程と、
前記スペーサーの内面を前記装飾体の前記パビリオン部の傾斜面に合わせて配置し、前記雄部に延設されている略筒状の前記挿通部を該スペーサーに挿通させる工程と、
前記被装飾体の表面側から前記雄部の前記挿通部を前記貫通孔に挿通させる工程と、
前記被装飾体の裏面側に前記雌部を配置させる工程と、
前記固定部の被装飾体に対する固定位置を調整する工程と、
前記雄部と前記雌部とをかしめて前記固定部を前記被装飾体に固定する工程と、
からなることを特徴とする装飾具の固定方法。
【請求項１２】
請求項４記載の装飾具を固定する固定方法であって、
シート状の前記被装飾体に前記貫通孔を穿設する工程と、
前記被装飾体の表面側から前記雄部の前記挿通部を前記貫通孔に挿通させる工程と、
前記スペーサーを前記被装飾体の裏面側から前記挿通部に挿通させる工程と、
前記被装飾体の裏面側に前記雌部を配置させる工程と、
前記固定部の被装飾体に対する固定位置を調整する工程と、
前記雄部と前記雌部とをかしめて前記固定部を前記被装飾体に固定する工程と、
からなることを特徴とする装飾具の固定方法。
【発明の詳細な説明】
【０００１】
【発明の属する技術分野】
本発明は、衣類，鞄，ベルト，靴などを構成する布地などの被装飾体に取り付けられる装飾具であって、透明なガラス質素材の装飾体などが固定された装飾具とその被装飾体への固定方法に関するものである。
【０００２】
【従来の技術】
従来、透明なガラスなどの装飾体を服地などの被装飾体に取り付ける場合は、装飾体自体に貫通孔を開けて糸付けによって固定したり、接着剤を装飾体に塗布して固定する方法が一般的である。
【０００３】
例えば、このような装飾体を被装飾体に固定する構造としては、下記特許文献１に開示されるように、略リング状に形成され下部に複数の脚を有する固定体に略円板状の装飾体を脚側から嵌め込み、固定体の脚を布などの被装飾体に貫通させて屈曲させ固定してるものがあった。
【０００４】
また、下記特許文献２や３に開示されるものは、底面が平坦に形成されたガラスや石などの装飾体の外周縁を保持し固定する略皿状の保持体よりなり、この保持体の下部に穿設されている貫通孔に糸が通され、糸付けによって被装飾体に固定されるものである。
【０００５】
さらに、下記特許文献４に開示されるように、貫通孔が穿設されたビーズ状の装飾体を、中央に糸通し孔が穿設された糸付けボタンに取り付けたものがあった。この装飾体の貫通孔には糸が通されており、糸付けボタンの糸通し孔を介して被装飾体に糸付けで固定するものである。
【０００６】
また、下記特許文献５に開示されるように、下部が錐形に形成された装飾体を、表面に凹部が形成されたボタンに、その下部が埋没するように嵌め込み接着固定し、このボタンを糸付けによって被装飾体に固定しているものがあった。
【０００７】
さらに、下記特許文献６に開示されるものは、ブラジャーに固定されるアンダワイヤであり、下部が錐形に形成された装飾体がピンを有した装飾素子に接着によって固定され、この装飾素子を被装飾体であるブラジャーに取り付けているものである。
【０００８】
また、下記特許文献７に開示されるものは、眼鏡フレームに固定される装飾品の取付構造具であって、下部が錐形に形成された装飾体を眼鏡フレームのヨロイの一部を構成するケースに裏面から挿入し、その挿入方向から略リング状の抜け止め部材を嵌め込み装飾体を押さえつけ、この抜け止め部材をケースに接着することで装飾体を被装飾体である眼鏡フレームに固定するものである。
【０００９】
【特許文献１】
実開平３−３１３０７号公報
【特許文献２】
実開平４−２０８号公報
【特許文献３】
実開平４−７４００８号公報
【特許文献４】
実用新案登録第３０８６５８８号公報
【特許文献５】
実開平２−５０２０５号公報
【特許文献６】
特開２００１−２０１０７号公報
【特許文献７】
特開２００２−２５８２２１号公報
【００１０】
【発明が解決しようとする課題】
しかしながら、上述したような従来の装飾具などでは、まず、上記特許文献１に開示される装飾具においては、脚と装飾体裏面とで挟むように被装飾体に対して固定する構造であり装飾体の底面を平坦に形成しなければならないので、装飾体の形状が限られてしまう。また、装飾体の上面側が固定体の内径以内に構成しなければず、装飾体の意匠性が乏しいという欠点があった。さらに、固定部の脚を屈曲して被装飾体に固定させるため、その固定手順として煩雑となっていた。
【００１１】
また、上記特許文献２に開示される装飾具は、糸が通る位置を確保するため装飾体の底面を平坦に形成しなければならない。そのため、装飾体の意匠性を付加することが困難、例えば、光による輝きを持つデザインなどを得ることが容易でないという欠点があった。また、被装飾体に対する取り付けが、保持部を糸付けする構造であることから、その固定が煩雑であった。
【００１２】
また、上記特許文献３に開示される装飾具についても、上記特許文献２に開示される装飾具と同様の欠点があった。
【００１３】
さらに、上記特許文献４に開示される装飾具は、装飾体の構造が略管形状のビーズ状のものであり、糸通しボタンに対して糸付けにて設けられるものであることから、意匠性を十分に得ることのできない欠点を有している。そして、被装飾体への固定が、上記同様に糸付けであり、煩雑であった。
【００１４】
また、上記特許文献５に開示される装飾具は、糸付けボタン自体に比較して小さな装飾体を使用しているため、糸付けボタンへの固定が煩雑である欠点を有している。そして、糸付けボタンは糸付けによって被装飾体へ固定されるためその固定が煩雑となっていた。
【００１５】
さらに、上記特許物件６に開示される装飾具は、装飾素子に対して装飾体を接着させる構造であるため、接着の際に装飾体の位置がずれることがあり、不良品となってしまうという問題があった。
【００１６】
また、上記特許文献７に開示される装飾具は、装飾体をケースに嵌め込み、抜け止め部材を接着して装飾体を固定させる構造であるため、装飾体がケースに対して固定状態ではなく、抜け止め部材の接着の際に装飾体の位置や向きがずれるおそれがあり、眼鏡フレームとして不良品となってしまうという問題があった。
【００１７】
そして、上述した上記特許文献５，６，７に開示される各装飾具は、下部が錐形に形成された装飾体を使用しており、装飾具としてはデザイン性が高く、光の反射などが可能で、被装飾体に対して取り付けた状態ではその被装飾体の意匠性を高めることが可能であるが、その装飾体自体の形状が高さ方向に複雑なものであることから、すなわち錐形でありその固定が困難であった。
【００１８】
そこで本発明は、上記課題を解消するために、錐形のパビリオン部を有するような複雑な形状のデザイン性の高い装飾体を用いることを可能とし、被装飾体に対して容易に固定することのできる装飾具を提供することを目的としている。また、装飾具を被装飾体に固定する際、装飾具の位置ずれを防止し、したがって、被装飾体の不良品の発生を抑えて、容易に取り付けることが可能な装飾具の固定方法を提供することを目的としている。
【００１９】
【課題を解決するための手段】
次に、上記の課題を解決するための手段を、実施の形態に対応する図面を参照して説明する。
本発明の請求項１記載の装飾具では、錐形のパビリオン部７を有する装飾体２と、前記装飾体２が保持される保持部１０を有する固定部３とで構成され、被装飾体２０に取付け固定される装飾具１であって、
前記固定部３は、前記保持部１０から前記装飾体２のキューレット８を囲み延出する略筒状の挿通部１１が設けられている雄部４と、前記挿通部１１が挿通される挿通孔１２を有する雌部５とで構成され、
前記挿通部１１を前記被装飾体２０に穿設される貫通孔２１に貫通させ、前記雄部４と前記雌部５とをかしめて前記被装飾体２０に固定することを特徴とする。
【００２０】
このような構造によれば、挿通部１１が装飾体２のキューレット８の周囲を支持し、高さ方向に十分な長さを有することから、装飾具１をかしめる際のキューレット８の破損を防止することが可能となる。したがって、装飾具１に、デザイン性の高い錐形のパビリオン部７を有する装飾体２を用いることが可能となる。そして、装飾具１は被装飾体２０にかしめることで固定される構造であり、装飾具１を被装飾体２０に容易に固定することが可能となる。
【００２１】
本発明の請求項２記載の装飾具では、錐形のパビリオン部７を有する装飾体２と、前記装飾体２が保持される保持部１０を有する固定部３とで構成され、被装飾体２０に取付け固定される装飾具１であって、
前記固定部３は、前記保持部１０から前記装飾体２のキューレット８を囲み延出する略筒状の挿通部１１が延設されている雄部４と、前記挿通部１１の周囲に配置されるとともに前記被装飾体２０の表面側に配置されるスペーサー１３Ａと前記挿通部１１が挿通される挿通孔１２を有する雌部５とで構成され、
前記挿通部１１を前記スペーサー１３Ａとともに前記被装飾体２０に穿設される貫通孔２１に貫通させ、前記雄部４と前記雌部５とをかしめて前記被装飾体２０に固定することを特徴とする。
【００２２】
このような構造によれば、挿通部１１が装飾体２のキューレット８の周囲を支持し、雄部４と雌部５との間にスペーサー１３Ａが介在することによって、高さ方向に十分な長さを得られることから、装飾具１をかしめる際のキューレット８の破損を確実に防止することが可能となる。したがって、装飾具１に、デザイン性の高い錐形のパビリオン部７を有する装飾体２を用いることが可能となる。また、スペーサー１３Ａにより雄部４と雌部５との間隔を得られることが可能であるので被装飾体２０が薄手素材であっても固定させることが可能となる。そして、装飾具１は被装飾体２０にかしめることで固定される構造であり、装飾具１を被装飾体２０に容易に固定することが可能となる。
【００２３】
本発明の請求項３記載の装飾具では、請求項２記載の装飾具において、前記スペーサー１３Ｂが略すり鉢状に形成された内面を有する略筒形状であることを特徴とする。
【００２４】
このような構造によれば、雄部４と雌部５との間にスペーサー１３Ｂが介在することによって、高さ方向に十分な長さを確保することが可能となり、被装飾体２０が薄手素材であっても装飾具１を固定させることが可能となる。また、スペーサー１３Ｂの内面を略すり鉢状に形成したので、被装飾体２０に固定された際の装飾具１の周縁に無駄な空間を形成することがなく、意匠的にも見栄えがよい。
【００２５】
本発明の請求項４記載の装飾具では、錐形のパビリオン部７を有する装飾体２と、前記装飾体２が保持される保持部１０を有する固定部３とで構成され、被装飾体２０に取付け固定される装飾具１であって、
前記固定部３は、前記保持部１０から前記装飾体２のキューレット８を囲み延出する略筒状の挿通部１１が延設されている雄部４と、前記挿通部１１の周囲に配置されるとともに前記被装飾体２０の裏面側に配置されるスペーサー１３Ｃと前記挿通部１１が挿通される挿通孔１２を有する雌部５とで構成され、
前記挿通部１１を前記被装飾体２０に穿設される貫通孔２１に貫通させた後、該挿通部１１を前記スペーサー１３Ｃに挿通させ、前記雄部４と前記雌部５とをかしめて前記被装飾体２０に固定することを特徴とする。
【００２６】
このような構造によれば、挿通部１１が装飾体２のキューレット８の周囲を支持し、雄部４と雌部５との間にスペーサー１３Ｃが介在することによって、高さ方向に十分な長さを得られることから、装飾具１をかしめる際のキューレット８の破損を確実に防止することが可能となる。したがって、装飾具１にデザイン性の高い錐形のパビリオン部７を有する装飾体２を用いることが可能となる。また、スペーサー１３Ｃにより雄部４と雌部５との間隔を得られることが可能であるので、被装飾体２０が薄手素材であっても固定させることが可能となる。そして、装飾具１は被装飾体２０にかしめることで固定される構造であり、装飾具１を被装飾体２０に容易に固定することが可能となる。さらに、スペーサー１３が被装飾体２０の裏面側に配置されることによって、被装飾体２０の表面側からはスペーサー１３Ｃが隠されることとなる。このことから、装飾具１のデザインのみを被装飾体２０の表面にあらわすことが可能となる。
【００２７】
本発明の請求項５記載の装飾具では、請求項２又は３又は４記載の装飾具において、前記スペーサー１３Ａ，１３Ｂ，１３Ｃが硬質素材で形成されていることを特徴とする。
【００２８】
このような構造によれば、装飾具１を被装飾体２０に強固に固定することが可能となる。また、被装飾体２０に固定された際の装飾具１の固定状態を維持することが可能となる。
【００２９】
本発明の請求項６記載の装飾具では、請求項２又は３又は４記載の装飾具において、前記スペーサー１３Ａ，１３Ｂ，１３Ｃが軟質素材で形成されていることを特徴とする。
【００３０】
このような構造によれば、装飾具１を被装飾体２０に強固に固定することが可能となる。装飾具１が被装飾体２０に固定された際、装飾具１と被装飾体２０との間の緩衝効果が得られる。
【００３１】
本発明の請求項７記載の装飾具は、請求項１，２，３，４，５，６のいずれか１つに記載の装飾具において、前記固定部３を構成する雄部４の挿通部１１が、保持部１０から貫通した略筒状に形成されるとともに、前記雌部５の挿通孔１２が貫通形成され、該挿通孔１２に前記挿通部１１が貫通することを特徴とする。
【００３２】
このような構造によれば、雌部５の形状が、貫通した挿通孔１２を備えた、すなわち略環状に形成されているため、装飾具１を被装飾体２０に固定された状態で装飾体２のキューレット８が雌部５に当接することがない。したがって、装飾具１を固定する際、キューレット８の破損を防ぐことが可能となる。そして、被装飾体２０の裏面からキューレット８が目視可能となる。
【００３３】
本発明の請求項８記載の装飾具では、請求項１，２，３，４，５，６，７のいずれか１つに記載の装飾具において、前記装飾体２は透明なガラス質素材であることを特徴とする。
【００３４】
このような構造によれば、装飾体２を透明なガラス質素材とすることで、装飾体２を宝飾品に似せて形成することができる。特に、上記したような雌部５の貫通した挿通孔１２により被装飾体２０の裏面からパビリオン部７に光が射し込むことが可能となり、装飾体２を輝かせることができる。
【００３５】
また、本発明の請求項９記載の装飾具の固定方法では、請求項１記載の装飾具を固定する固定方法であって、
シート状の前記被装飾体２０に前記貫通孔２１を穿設する工程と、
前記被装飾体２０の表面側から前記固定部３の一方を構成する前記雄部４に延設されている略筒状の前記挿通部１１を前記貫通孔２１に挿通させる工程と、
前記被装飾体２０の裏面側に前記固定部３の他方を構成する前記雌部５を配置させる工程と、
前記固定部３の被装飾体２０に対する固定位置を調整する工程と、
前記雄部４と前記雌部５とをかしめて前記固定部３を前記被装飾体２０に固定する工程と、
からなることを特徴とする。
【００３６】
さらに、本発明の請求項１０記載の装飾具の固定方法では、請求項２記載の装飾具を固定する固定方法であって、
シート状の前記被装飾体２０に前記貫通孔２１を穿設する工程と、
前記雄部４に延設されている略筒状の前記挿通部１１を前記スペーサー１３に挿通させる工程と、
前記被装飾体２０の表面側から前記雄部４の前記挿通部１１を前記貫通孔２１に挿通させる工程と、
前記被装飾体２０の裏面側に前記雌部５を配置させる工程と、
前記固定部３の被装飾体２０に対する固定位置を調整する工程と、
前記雄部４と前記雌部５とをかしめて前記固定部３を前記被装飾体２０に固定する工程と、
からなることを特徴とする。
【００３７】
また、本発明の請求項１１記載の装飾具の固定方法では、請求項３記載の装飾具を固定する固定方法であって、
シート状の前記被装飾体２０に前記貫通孔２１を穿設する工程と、
前記スペーサー１３の内面を前記装飾体２の前記パビリオン部７の傾斜面に合わせて配置し、前記雄部４に延設されている略筒状の前記挿通部１１を該スペーサー１３に挿通させる工程と、
前記被装飾体２０の表面側から前記雄部４の前記挿通部１１を前記貫通孔２１に挿通させる工程と、
前記被装飾体２０の裏面側に前記雌部５を配置させる工程と、
前記固定部３の被装飾体２０に対する固定位置を調整する工程と、
前記雄部４と前記雌部５とをかしめて前記固定部３を前記被装飾体２０に固定する工程と、
からなることを特徴とする。
【００３８】
さらに、本発明の請求項１２記載の装飾具の固定方法では、請求項４記載の装飾具を固定する固定方法であって、
シート状の前記被装飾体２０に前記貫通孔２１を穿設する工程と、
前記被装飾体２０の表面側から前記雄部４の前記挿通部１１を前記貫通孔２１に挿通させる工程と、
前記スペーサー１３を前記被装飾体２０の裏面側から前記挿通部１１に挿通させる工程と、
前記被装飾体２０の裏面側に前記雌部５を配置させる工程と、
前記固定部３の被装飾体２０に対する固定位置を調整する工程と、
前記雄部４と前記雌部５とをかしめて前記固定部３を前記被装飾体２０に固定する工程と、
からなることを特徴とする。
【００３９】
このような固定方法によれば、装飾具１は、被装飾体２０に対して、かしめるという工程のみで固定でき、従来のような接着や糸付けなどの煩雑な工程がなく、容易に固定作業を終えることが可能となる。
また、装飾具１を被装飾体２０に固定する際に、被装飾体２０上で固定部３の固定位置を微調整することが可能となる。すなわち、被装飾体２０に対してかしめて完全に固定してしまう以前に、装飾具１は、被装飾体２０の貫通孔に仮止め状態で取り付けられている状態であることから、被装飾体２０に対する位置の調整が可能である。このことから、被装飾体２０としての不良品の発生を抑えることが可能となる。
さらに、挿通部１１が高さ方向に十分な長さを有することから、装飾具１をかしめる際に、雄部４と雌部５との間隔が十分に確保され、これによりキューレット８の破損を防止することが可能となる。
【００４０】
【発明の実施の形態】
まずはじめに、本発明の装飾具の取り付け対象である被装飾体について説明する。
被装飾体２０は、例えば、衣類，鞄，ベルト，靴などの素材であるシート状のもの、例えば、織布や不織布などの布地や、皮革、あるいは樹脂シートなどよりなる。また、このようなシート状の可撓性を備えた素材の他に、木質板や合成樹脂板、金属板など、硬質な素材を被装飾体２０としてもよい。この被装飾体２０は、厚さが素材によって様々であるが、例えば、薄手素材のもので１ｍｍ程度の厚さであり、厚手素材のもので５ｍｍ程度の厚さとされる。また、被装飾体２０には、後述する装飾具１を取り付ける位置に、予め貫通孔２１が穿設されている。
【００４１】
次に、本発明の装飾具を各実施の形態毎に図面を参照して具体的に説明する。
【００４２】
まず、第１の実施の形態について説明する。
図１は本発明による装飾具の第１の実施の形態を示す側断面図、図２は同正面図、図３は同実施の形態の固定方法を示す工程図である。
【００４３】
この第１の実施の形態の装飾具１は、装飾体２と、固定部３とで略構成されている。
【００４４】
装飾体２は、例えば、無色透明なガラスなどを素材とした多面体よりなる。この装飾体２は、図１及び図２に示すように、上部に略錐台形のクラウン部６が形成され、下部に略円錐形に形成されたパビリオン部７が形成されている。また、パビリオン部７の外周面には、クラウン部６から入り込む光を反射させ装飾体２自体を輝かせるための反射層が塗布などにより形成されている。なお、このパビリオン部７の最先端部分である頂点部分は、キューレット８と呼ばれる。
【００４５】
固定部３は、図１（ａ）に示すように、雄部４と雌部５とで略構成されている。
【００４６】
雄部４は、係止部９と、保持部１０と、挿通部１１とで略構成されている。
保持部１０は、上端が大径で下端が小径な略すり鉢状の管状に形成されており、装飾体２のパビリオン部７の外周面に沿う形状とされ、このパビリオン部７の外周面を覆うようになっている。
【００４７】
係止部９は、保持部１０の上端に連続して延出するように形成され、図１（ａ）に示すように、装飾体２の最外周縁部分を覆い、装飾体２のクラウン部６の傾斜面に沿い、この傾斜面の一部を覆うように折曲形成される。
【００４８】
挿通部１１は、略円筒形に形成され、保持部１０の下端から垂下方向に延設され形成されている。なお、本実施の形態では、この挿通部１１の下端は有底となっている。そしてこの挿通部１１は、保持部１０，係止部９にて取り付けられる装飾体２のキューレット８の周囲を覆うようになる。また、挿通部１１の長さは、その内部に位置するキューレット８の位置よりも十分に長く、すなわち、装飾体２の高さ方向で長くなるような構成となっている。
【００４９】
雌部５は、受部１４と挿通孔１２とで略構成されている。
受部１４は、上面１５と底面１６とを備えている。底面１６は、本実施の形態では、図１（ａ）に示すように、平坦面にて形成されている。また、上面１５は、底面１６と略平行な面よりなり、略中央に挿通孔１２が穿設されている。なお、上面１５と底面１６との間には空間が形成されている。
【００５０】
挿通孔１２は、その内径が、上記した挿通部１１の外径と同径あるいはやや大径に形成されている。この挿通孔１２には、この挿通孔１２の開口縁に沿って鉛直方向に延びる略筒状形状の突部１７が突設されている。
【００５１】
このように構成された装飾具１は、固定部３を構成する雄部４と雌部５とをかしめることで固定状態となる。すなわち、この装飾具１を取り付ける対象である被装飾体２０に対して、この被装飾体２０に予め穿設される貫通孔２１に雄部４の挿通部１１を、被装飾体２０の表面から通し、被装飾体２０の裏面からは雌部５を配置させ、これら雄部４と雌部５とをかしめることで、被装飾体２０に固定されることとなる。
【００５２】
この装飾具１によれば、挿通部１１が装飾体２のキューレット８の周囲を支持し、高さ方向に十分な長さを有することから、装飾具１をかしめる際のキューレット８の破損を防止することが可能となる。したがって、装飾具１にデザイン性の高い錐形のパビリオン部７を有する装飾体２を用いることが可能となる。そして、装飾具１は被装飾体２０にかしめることで固定される構造であり、装飾具１を被装飾体２０に容易に固定することが可能となる。
【００５３】
次に、この第１の実施の形態の装飾具１の固定方法について説明する。
図３に示すように、この固定方法は、５つの工程よりなる。
【００５４】
第１工程
図３（ａ）に示すように、被装飾体２０に貫通孔２１を穿設する。
この工程では、布地などの被装飾体２０に対し、装飾具１を取り付ける位置に、例えば、穴あけ用ポンチなどを使用して貫通孔２１をあける。
【００５５】
第２工程
図３（ｂ）に示すように、装飾体２が固定された雄部４を被装飾体２０の貫通孔２１に配置する。
この工程では、雄部４の挿通部１１を被装飾体２０の表面側から貫通孔２１に挿通させる。この状態では、被装飾体２０の裏面側に、挿通部１１の先端側が突出する。
【００５６】
第３工程
図３（ｃ）に示すように、被装飾体２０の裏面側に雌部５を配置する。
この工程では、被装飾体２０の裏面側において突出している挿通部１１に、雌部５を挿着させた状態とする。
【００５７】
第４工程
図３（ｄ）に示すように、被装飾体２０に対する固定位置を調整する。
この工程では、被装飾体２０に対して、雄部４と雌部５とは仮止め状態であり、被装飾体２０に対する位置を微調整することができる。
その際、目視によって固定部３の中心と被装飾体２０の貫通孔２１の中心とを合わせる（図中一点鎖線）。あるいは、被装飾体２０に対して固定したい位置、例えば被装飾体２０に予めデザインが施されている場合や、これ以前に既に装飾具が取り付けれており、その装飾具との位置関係を調整する場合などに微調整することができる。
【００５８】
第５工程
図３（ｅ）に示すように、雄部４と雌部５とをかしめて被装飾体２０に固定させる。
この工程では、専用のパンチや治具などを用い、樹脂製のハンマーなどを使用するなどして、装飾具１の垂直方向（図中一点鎖線に沿う方向）から圧力を加えることで雄部４と雌部５とをかしめる。
【００５９】
以上の５つの工程を順次行うことにより、装飾具１は、被装飾体２０へ固定されることとなる。
【００６０】
このような固定方法によれば、装飾具１を被装飾体２０に固定する以前に、雄部４と雌部５とが仮止め状態であることから、その固定位置を微調整することが可能となる。このことから、装飾具１を固定する際の、被装飾体２０に対する位置ずれを防止することができる。そして、この被装飾体２０の不良品の発生を抑えることが可能となる。
【００６１】
また、被装飾体２０に対して、従来のような糸付けなどの煩雑な作業が不要であり、かしめる作業のみで装飾具１を被装飾体２０に固定させることができる。したがって、装飾具１を被装飾体２０に容易に固定させることが可能となる。
【００６２】
次に、本発明による第２の実施の形態の装飾具について説明する。
図４は本発明による装飾具の第２の実施の形態を示す側断面図、図５は同実施の形態の固定方法を示す工程図である。
【００６３】
この第２の実施の形態の装飾具１は、上述した第１の実施の形態の装飾具１と同様に、装飾体２と、固定部３とで略構成されている。
なお、以下で説明する第２の実施の形態において、上述した第１の実施の形態と同等あるいは同一箇所には同一の符号を付し、その説明を省略する。
【００６４】
固定部３は、図４（ａ）に示すように、雄部４と雌部５とスペーサー１３Ａとで構成されている。
【００６５】
スペーサー１３Ａは、硬質素材、例えば、金属や合成樹脂などで形成されている。図４（ａ）に示すように、スペーサー１３Ａは略碗状に形成されている。スペーサー１３Ａの内面は、上記した雄部４の保持部１０の外周面と同等の傾斜面とされ、すなわちすり鉢状に形成されている。このスペーサー１３Ａの下部には取付孔１８が穿設され、その内径は、雌部５の突部１７が挿通可能な径に形成されている。
【００６６】
この第２の実施の形態による装飾具１は、固定部３を構成する雄部４とスペーサー１３Ａとが被装飾体２０の表面側に配置され、雌部５が被装飾体２０の裏面側に配置される。つまり、被装飾体２０は、スペーサー１３Ａと雌部５との間に介在する。そして、雄部４と雌部５をかしめることで、装飾具１は被装飾体２０に固定される。
【００６７】
この第２の実施の形態の装飾具１によれば、上記した第１の実施の形態による装飾具１と同様の効果に加え、雄部４と雌部５との間にスペーサー１３Ａが介在することによって、これら雄部４と雌部５との距離（間隔）が十分に得ることが可能となる。別言すると、雄部４の挿通部１１が必要以上にかしめにより変形することがない。したがって、被装飾体２０が薄手素材であっても装飾体２のキューレット８が雌部４の底面１５に当接して潰れる挿通部１１によって破損することなく固定部３をかしめることができる。つまり、薄手素材の被装飾体２０に装飾具１を固定させることが可能となる。
【００６８】
また、スペーサー１３Ａが硬質素材よりなることから、装飾具１を被装飾体２０に強固に固定することが可能となる。被装飾体２０に固定された際の装飾具１の固定形状を維持することが可能となる。
【００６９】
なお、この実施の形態では、スペーサー１３Ａは、略碗状に形成されているが、図８（ａ）に示すように、スペーサー１３Ｂが厚みのある略円筒形に形成され、その内面が略すり鉢状に形成されている構成としてもよい。このスペーサー１３Ｂによれば、雄部４と雌部５との間に十分な距離を保つことができる。また、被装飾体２０に固定された際の装飾具１の周縁の無駄なスペースを覆うことができる。したがって、意匠的にも見栄えがよくなる。
【００７０】
次に、この第２の実施の形態の装飾具１の固定方法について説明する。
図５に示すように、この固定方法は、以下の６つの工程よりなる。
【００７１】
第１工程
図５（ａ）に示すように、被装飾体２０に貫通孔２１を穿設する。
この工程では、布地などの被装飾体２０に対し、装飾具１を取り付ける位置に、例えば、穴あけ用ポンチなどを使用して貫通孔２１をあける。
【００７２】
第２工程
図５（ｂ）に示すように、装飾体２が固定された雄部４をスペーサー１３Ａの取付孔１８に挿通させる。
この工程では、スペーサー１３Ａの大径側の一方の開口側から、挿通部１１を挿通させ、雄部４の保持部１０の外周に、このスペーサー１３Ａを沿わせるように取り付ける。
【００７３】
第３工程
図５（ｃ）に示すように、スペーサー１３Ａを貫通した雄部４を被装飾体２０の貫通孔２１に配置させる。
この工程では、雄部４の挿通部１１を被装飾体２０の表面側から貫通孔２１に挿通させる。この状態では、被装飾体２０の表面にスペーサー１３Ａを介して装飾体２が位置し、裏面側に挿通部１１の先端側が突出する。
【００７４】
第４工程
次に、図５（ｄ）に示すように、被装飾体２０の裏面側に雌部５を配置する。
この工程では、被装飾体２０の裏面側において突出している挿通部１１に、雌部５を挿着させた状態とする。
【００７５】
第５工程
図５（ｅ）に示すように、被装飾体２０に対する固定位置を調整する。
この工程では、被装飾体２０に対して、雄部４と雌部５とは仮止め状態であり、被装飾体２０に対する位置を微調整することができる。
その際、目視によって固定部３の中心と被装飾体２０の貫通孔２１の中心とを合わせる（図中一点鎖線）。あるいは、被装飾体２０に対して固定したい位置、例えば被装飾体２０に予めデザインが施されている場合や、これ以前に既に装飾具が取り付けれており、その装飾具との位置関係を調整する場合などに微調整することができる。
【００７６】
第６工程
図５（ｆ）に示すように、雄部４と雌部５とをかしめて被装飾体２０に固定させる。
この工程では、専用のパンチや治具などを用い、樹脂製のハンマーなどを使用するなどして、装飾具１の垂直方向（図中一点鎖線に沿う方向）から圧力を加えることで雄部４と雌部５をかしめる。
【００７７】
以上の６つの工程を順次行うことにより、装飾具１は、被装飾体２０へ固定されることとなる。
【００７８】
なお、上記した工程にて使用するスペーサーは、図４に示されるスペーサー１３Ａとして説明しているが、このスペーサーは、上述した図８（ａ）に示すような例のスペーサー１３Ｂとした場合でも、上記と略同様の工程で固定することが可能である。
【００７９】
このような固定方法によれば、上記した第１の実施の形態による装飾具１の固定方法と同様に、装飾具１を被装飾体２０に固定する以前に、雄部４と雌部５とが仮止め状態であることから、その固定位置を微調整することが可能となる。このことから、装飾具１を固定する際の、被装飾体２０に対する位置ずれを防止することができる。そして、この被装飾体２０の不良品の発生を抑えることが可能となる。
【００８０】
また、被装飾体２０に対して、従来のような糸付けなどの煩雑な作業が不要であり、かしめる作業のみで装飾具１を被装飾体２０に固定させることができる。したがって、装飾具１を被装飾体２０に容易に固定させることが可能となる。
【００８１】
次に、本発明による第３の実施の形態の装飾具について説明する。
図６は本発明による装飾具の第３の実施の形態を示す側断面図、図７は同実施の形態を示す工程図である。
【００８２】
この第３の実施の形態の装飾具１は、上述した第１および第２の実施の形態の装飾具１と同様に、装飾体２と、固定部３とで構成されている。
なお、以下で説明する第３の実施の形態において、上述した第１および第２の実施の形態と同等あるいは同一個所には同一の符号を付し、その説明を省略する。
【００８３】
固定部３は、第３の実施の形態では、図６（ａ）に示すように、雄部４と雌部５とスペーサー１３Ｃとで構成されている。
スペーサー１３Ｃは、上述した第２の実施の形態と略同様の形状に構成されている。すなわち、スペーサー１３Ｃは、硬質素材、例えば、金属や合成樹脂などで形成され、図６（ａ）に示すように、スペーサー１３Ｃは略碗状に形成されている。スペーサー１３Ｃの内面は、上記した雄部４の保持部１０の外周面と同等の傾斜面とされ、すなわちすり鉢状に形成されている。このスペーサー１３Ｃの下部には取付孔１８が穿設され、その内径は、雌部５の突部１７が挿通可能な径に形成されている。
【００８４】
この第３の実施の形態による装飾具１は、固定部３を構成する雄部４が被装飾体２０の表面側に配置され、スペーサー１３Ｃと雌部５とが被装飾体２０の裏面側に配置される。つまり、被装飾体２０は、雄部４とスペーサー１３Ｃとの間に介在する。そして、雄部４と雌部５をかしめることで、装飾具１は被装飾体２０に固定される。
【００８５】
この第３の実施の形態によれば、上記した第２の実施の形態と同様の効果に加え、スペーサー１３Ｃが被装飾体２０の裏面側に配置されることによって、装飾具１のデザインのみを被装飾体２０の表面側にあらわすことが可能となる。
【００８６】
次に、この第３の実施の形態の固定方法について説明する。
図７に示すように、この第３の実施の形態の装飾具の被装飾体２０への固定方法は、６つの工程によって略構成されている。
【００８７】
第１工程
図７（ａ）に示すように、被装飾体２０に貫通孔２１を穿設する。
この工程では、布地などの被装飾体２０に対し、装飾具１を取り付ける位置に、例えば、穴あけ用ポンチなどを使用して貫通孔２１をあける。
【００８８】
第２工程
図７（ｂ）に示すように、雄部４を被装飾体２０の貫通孔２１に配置させる。
この工程では、雄部４の挿通部１１を被装飾体２０の表面側から貫通孔２１に挿通させる。
【００８９】
第３工程
図７（ｃ）に示すように、挿通部１１にスペーサー１３Ｃを取り付ける。
この工程では、被装飾体２０の裏面に位置している雄部４の挿通部１１に、スペーサー１３Ｃの取付孔１８に挿通させる。
【００９０】
第４工程
図７（ｄ）に示すように、被装飾体２０の裏面側に雌部５を配置する。
この工程では、被装飾体２０の裏面側において突出している挿通部１１に、雌部５を挿着させた状態とする。
【００９１】
第５工程
図７（ｅ）に示すように、固定部３の被装飾体２０に対する固定位置を調整する。
この工程では、被装飾体２０に対して、雄部４と雌部５とは仮止め状態であり、被装飾体２０に対する位置を微調整することができる。
その際、目視によって固定部３の中心と被装飾体２０の貫通孔２１の中心とを合わせる（図中一点鎖線）。あるいは、被装飾体２０に対して固定したい位置、例えば被装飾体２０に予めデザインが施されている場合や、これ以前に既に装飾具が取り付けれており、その装飾具との位置関係を調整する場合などに微調整することができる。
【００９２】
第６工程
図７（ｆ）に示すように、雄部４と雌部５とをかしめて被装飾体２０に固定させる。
この工程では、専用のパンチや治具などを用い、樹脂製のハンマーなどを使用するなどして、装飾具１の垂直方向（図中一点鎖線に沿う方向）から圧力を加えることで雄部４と雌部５をかしめる。
【００９３】
以上の６つの工程を順次行うことにより、装飾具１は、被装飾体２０へ固定されることとなる。
【００９４】
このような固定方法によれば、上記した第１の実施の形態による装飾具１の固定方法と同様に、装飾具１を被装飾体２０に固定する以前に、雄部４と雌部５とが仮止め状態であることから、その固定位置を微調整することが可能となる。このことから、装飾具１を固定する際の、被装飾体２０に対する位置ずれを防止することができる。そして、この被装飾体２０の不良品の発生を抑えることが可能となる。
【００９５】
また、被装飾体２０に対して、従来のような糸付けなどの煩雑な作業が不要であり、かしめる作業のみで装飾具１を被装飾体２０に固定させることができる。したがって、装飾具１を被装飾体２０に容易に固定させることが可能となる。
【００９６】
なお、第２および第３の実施の形態の装飾具１では、スペーサー１３Ａ，１３Ｂ，１３Ｃが、金属などの硬質素材で形成されている例について述べたが、スペーサーを、例えば、フェルトや皮革などの軟質素材で形成し構成してもよい。
このような構成によれば、スペーサーが緩衝材となり、装飾具１を被装飾体２０に固定する際に、すなわちかしめ作業において、緩衝効果を得ることが可能となる。また、被装飾体２０に固定された状態で、固定部３と被装飾体２０との間の緩衝作用を得ることが可能となり、すなわち、固定部により被装飾体２０を損傷させることなどがない。
【００９７】
また、上述した第１，第２，第３の実施の形態の装飾具１では、雄部４と雌部５とをかしめることで被装飾体２０に固定する構造として説明したが、図９に示すように、雌部４に設けられる挿通孔１２が貫通形成され、固定部３が固定されたときに雄部４から雌部５までが貫通する所謂ハトメ構造となっていてもよい。
【００９８】
このような構造によれば、雌部５が略環状に形成されることとなり、装飾具１を被装飾体２０に固定させる際に、装飾体２のキューレット８が雌部５に当接することがない。したがって、装飾具１を固定する際、キューレット８の破損を確実に防ぐことが可能となる。
また、パビリオン部７の周囲に雌部５が覆われない部分を有することとなり、被装飾体２０の裏面側からパビリオン部７に光が射し込むことが可能となり、装飾体２の輝きを増大させることができる。
【００９９】
さらに、上述した各実施の形態の装飾具１では、装飾体２が固定される係止部９は、装飾体２のクラウン部６の周囲を連続して囲むように形成されているが、係止部９が複数の爪状に形成され、この係止部９がクラウン部６を掴むように保持している構成としてもよい。これにより、上記と同様の効果が得られるとともに、意匠的に、上記した装飾具１とは異なったデザインをあらわすことができる。
【０１００】
また、上述した各実施の形態による装飾具１では、装飾体２を無色透明なガラス素材とした例について述べたが、赤や青の有色透明な素材でもよく、あるいは天然石などで構成することとしても良い。特に高価な天然石などを用いる構成の場合に、上述したようにキューレット部の破損を未然に防げることから、装飾具１として高級感を醸し出すことが可能であり、かつ、かしめることで容易に取り付けることが可能であることから、高いデザイン性を得ることが可能である。
【０１０１】
【発明の効果】
以上説明したように本発明による請求項１記載の装飾具によれば、挿通部が装飾体のキューレットの周囲を支持し、高さ方向に十分な長さを有することから、装飾具をかしめる際のキューレットの破損を防止することが可能となる。したがって、装飾具に、デザイン性の高い錐形のパビリオン部を有する装飾体を用いることが可能となる。そして、装飾具は被装飾体にかしめることで固定される構造であり、装飾具を被装飾体に容易に固定することが可能となる。
【０１０２】
請求項２記載の装飾具によれば、上記した請求項１記載の装飾具と同様の効果に加え、雄部と雌部との間にスペーサーが介在することによって、挿通部の部分における高さ方向（長さ方向）を十分に確保でき、装飾具をかしめる際のキューレットの破損を確実に防止することが可能となる。また、このスペーサーにより、雄部と雌部との間隔を得られることが可能であるので、被装飾体が薄手素材であっても固定させることが可能となる。
【０１０３】
請求項３記載の装飾具によれば、上記した請求項１，２記載の装飾具と同様の効果に加え、内面をすり鉢状に形成することで、被装飾体に固定された際の装飾具の周縁に無駄な空間を形成することがなく、意匠的にも見栄えがよい装飾具を得ることができる。
【０１０４】
請求項４記載の装飾具によれば、上記した請求項２記載の装飾具と同様の効果に加え、スペーサーが被装飾体の裏面側に配置されることによって、装飾具のデザインのみを被装飾体の表面にあらわすことが可能となる。
【０１０５】
請求項５記載の装飾具によれば、装飾具を被装飾体に強固に固定することが可能となる。
【０１０６】
請求項６記載の装飾具によれば、装飾具が被装飾体に固定された際、装飾具と被装飾体との間の緩衝効果が得られる。
【０１０７】
請求項７記載の装飾具によれば、雌部が略環状に形成されることから、装飾具を被装飾体に固定させる際に装飾体のキューレットが雌部に当接せず、したがって、装飾具を固定する際、キューレットの破損を防ぐことが可能となる。また、パビリオン部の周囲が雌部に覆われていない部分を得られ、パビリオン部から光が射し込むことが可能となり、装飾体をより輝かせることができる。
【０１０８】
請求項８記載の装飾具によれば、装飾体を透明なガラス質素材とすることで、装飾体を宝飾品に似せて形成することができる。特に、上記したような雌部の貫通した挿通孔により被装飾体の裏面からパビリオン部に光が射し込むことが可能となり、装飾体を輝かせることができる。
【０１０９】
また、本発明の装飾具の固定方法によれば、装飾具を被装飾体に固定する際に、被装飾体上で固定部の固定位置を調整することによって、装飾具を固定する際の位置ずれを防止することができる。そのため、不良品の発生を抑えることが可能となる。また、かしめる作業のみで装飾具を被装飾体に固定させることができる。したがって、装飾具を被装飾体に容易に固定させることが可能となる。
【図面の簡単な説明】
【図１】（ａ）は本発明の装飾具の第１の実施の形態の固定前の状態を示す側断面図、（ｂ）は同固定後の状態を示す側断面図である。
【図２】同装飾具の平面図である。
【図３】（ａ）本発明の装飾具の第１の実施の形態の固定方法を示す工程図である。
（ｂ）同工程図である。
（ｃ）同工程図である。
（ｄ）同工程図である。
（ｅ）同工程図である。
【図４】（ａ）は本発明の装飾具の第２の実施の形態の固定前の状態を示す側断面図、（ｂ）は同固定後の状態を示す側断面図である。
【図５】（ａ）本発明の装飾具の第２の実施の形態の固定方法を示す工程図である。
（ｂ）同工程図である。
（ｃ）同工程図である。
（ｄ）同工程図である。
（ｅ）同工程図である。
（ｆ）同工程図である。
【図６】（ａ）は本発明の装飾具の第３の実施の形態の固定前の状態を示す側断面図、（ｂ）は同固定後の状態を示す側断面図である。
【図７】（ａ）本発明の装飾具の第３の実施の形態の固定方法を示す工程図である。
（ｂ）同工程図である。
（ｃ）同工程図である。
（ｄ）同工程図である。
（ｅ）同工程図である。
（ｆ）同工程図である。
【図８】（ａ）は本発明の装飾具の他の実施の形態の固定前の状態を示す側断面図、（ｂ）は同固定後の状態を示す側断面図である。
【図９】（ａ）は本発明の装飾具の他の実施の形態の固定前の状態を示す側断面図、（ｂ）は同固定後の状態を示す側断面図である。
【符号の説明】
１…装飾具
２…装飾体
３…固定部
４…雄部
５…雌部
７…パビリオン部
８…キューレット
１０…保持部
１１…挿通部
１２…挿通孔
１３Ａ，１３Ｂ，１３Ｃ…スペーサー
２０…被装飾体
２１…貫通孔
【図１】
2004337354.tif 000003
【図２】
2004337354.tif 000004
【図３】
2004337354.tif 000005
【図４】
2004337354.tif 000006
【図５】
2004337354.tif 000007
【図６】
2004337354.tif 000008
【図７】
2004337354.tif 000009
【図８】
2004337354.tif 000010
【図９】
2004337354.tif 000011